【手続補正書】
【提出日】平成18年10月18日(2006.10.18)
【手続補正１】
【補正対象書類名】明細書
【補正対象項目名】特許請求の範囲
【補正方法】変更
【補正の内容】
【特許請求の範囲】
【請求項１】  生物学的に活性なペプチドであって、以下の式：
（ａ）
【化１】
2002528060.tif 000001
（ｂ）アミノ酸１〜９、１〜１０、１〜１１、１〜１２、または１〜１３を含む、そのフラグメント；
（ｃ）それらの薬学的に受容可能な塩；あるいは
（ｄ）それらのＮ−誘導体またはＣ−誘導体；
から本質的になるペプチドに少なくとも８５％同一であり、ここで：
Ｘ01は、ＳｅｒまたはＡｌａであり；
Ｘ02は、ＩｌｅまたはＨｉｓであり；
Ｘ03は、Ｍｅｔ、ＬｅｕまたはＮｌｅであり；
Ｘ04は、ＡｓｎまたはＡｓｐであり；
Ｘ05は、ＬｅｕまたはＬｙｓであり；そして
Ｘ06は、ＨｉｓまたはＳｅｒであり、
但し該ペプチドは、ＰＴＨｒＰ（１−１４）ではない、
生物学的に活性なペプチド。
【請求項２】  生物学的に活性なペプチドであって、以下の式：
（ａ）
【化２】
2002528060.tif 000002
（ｂ）アミノ酸１〜９、１〜１０、１〜１１、１〜１２、または１〜１３を含む、そのフラグメント；
（ｃ）それらの薬学的に受容可能な塩；あるいは
（ｄ）それらのＮ−誘導体またはＣ−誘導体；
から本質的になり、ここで：
Ｘ01は、ＳｅｒまたはＡｌａであり；
Ｘ02は、ＩｌｅまたはＨｉｓであり；
Ｘ03は、Ｍｅｔ、ＬｅｕまたはＮｌｅであり；
Ｘ04は、ＡｓｎまたはＡｓｐであり；
Ｘ05は、ＬｅｕまたはＬｙｓであり；そして
Ｘ06は、ＨｉｓまたはＳｅｒであり、
但し該ペプチドは、ＰＴＨｒＰ（１−１４）ではない、
生物学的に活性なペプチド。
【請求項３】  以下：
【化３】
2002528060.tif 000003
である、請求項１に記載のペプチド。
【請求項４】  前記ペプチドが、放射性標識、蛍光標識、生物発光標識、または化学発光標識からなる群より選択される標識で標識される、請求項１に記載のペプチド。
【請求項５】  前記放射性標識が99mＴｃである、請求項４に記載のペプチド。
【請求項６】  薬学的組成物であって、以下：
（ａ）以下の式：
【化４】
2002528060.tif 000004
から本質的になるペプチドに少なくとも８５％同一の生物学的に活性なペプチド；
（ｂ）アミノ酸１〜９、１〜１０、１〜１１、１〜１２または１〜１３を含む、そのフラグメント；
（ｃ）それらの薬学的に受容可能な塩；あるいは
（ｄ）それらのＮ−誘導体またはＣ−誘導体；ならびに薬学的に受容可能なキャリア、
を含む、薬学的組成物。
【請求項７】  薬学的組成物であって、以下：
（ａ）以下の式：
【化５】
2002528060.tif 000005
から本質的になる生物学的に活性なペプチド；
（ｂ）アミノ酸１〜９、１〜１０、１〜１１、１〜１２または１〜１３を含む、そのフラグメント；
（ｃ）それらの薬学的に受容可能な塩；あるいは
（ｄ）それらのＮ−誘導体またはＣ−誘導体；ならびに薬学的に受容可能なキャリア、
を含む、薬学的組成物。
【請求項８】  薬学的組成物であって、以下：
（ａ）以下の式：
【化６】
2002528060.tif 000006
から本質的になるペプチドに少なくとも８５％同一の生物学的に活性なペプチド；
（ｂ）アミノ酸１〜９、１〜１０、１〜１１、１〜１２または１〜１３を含む、そのフラグメント；
（ｃ）それらの薬学的に受容可能な塩；あるいは
（ｄ）それらのＮ−誘導体またはＣ−誘導体；ならびに薬学的に受容可能なキャリア、
を含む、薬学的組成物。
【請求項９】  薬学的組成物であって、以下：
（ａ）以下の式：
【化７】
2002528060.tif 000007
から本質的になる生物学的に活性なペプチド；
（ｂ）アミノ酸１〜９、１〜１０、１〜１１、１〜１２または１〜１３を含む、そのフラグメント；
（ｃ）それらの薬学的に受容可能な塩；あるいは
（ｄ）それらのＮ−誘導体またはＣ−誘導体；ならびに薬学的に受容可能なキャリア、
を含む、薬学的組成物。
【請求項１０】  核酸分子であって、以下：
（ａ）
【化８】
2002528060.tif 000008
あるいは
（ｂ）アミノ酸１〜９、１〜１０、１〜１１、１〜１２または１〜１３を含む、そのフラグメント；
からなる群より選択されるアミノ酸配列を有する生物学的に活性なペプチドをコードするポリヌクレオチドから本質的になり、ここで：
Ｘ01は、ＳｅｒまたはＡｌａであり；
Ｘ02は、ＩｌｅまたはＨｉｓであり；
Ｘ03は、Ｍｅｔ、ＬｅｕまたはＮｌｅであり；
Ｘ04は、ＡｓｎまたはＡｓｐであり；
Ｘ05は、ＬｅｕまたはＬｙｓであり；そして
Ｘ06は、ＨｉｓまたはＳｅｒであり、
但し該ペプチドは、ＰＴＨｒＰ（１−１４）ではない、
核酸分子。
【請求項１１】  組換えＤＮＡ分子であって、
（１）発現制御領域
（２）該発現領域と作動可能に連結されている生物学的に活性なペプチドをコードするポリヌクレオチド配列
を含み、該ペプチドは、以下：
（ａ）
【化９】
2002528060.tif 000009
あるいは
（ｂ）アミノ酸１〜９、１〜１０、１〜１１、１〜１２または１〜１３を含む、そのフラグメント；
からなる群より選択され、ここで：
Ｘ01は、ＳｅｒまたはＡｌａであり；
Ｘ02は、ＩｌｅまたはＨｉｓであり；
Ｘ03は、Ｍｅｔ、ＬｅｕまたはＮｌｅであり；
Ｘ04は、ＡｓｎまたはＡｓｐであり；
Ｘ05は、ＬｅｕまたはＬｙｓであり；そして
Ｘ06は、ＨｉｓまたはＳｅｒであり、
但し該ペプチドは、ＰＴＨｒＰ（１−１４）ではない、
組換えＤＮＡ分子。
【請求項１２】  生物学的に活性なペプチドを調製する方法であって、請求項１１に記載の組換えＤＮＡ分子を、宿主中に導入する工程、および該分子の発現を引き起こす工程を包含する、方法。
【請求項１３】  組換えベクターを作製するための方法であって、請求項１０に記載の核酸分子をベクター中に挿入する工程を包含する、方法。
【請求項１４】  前記制御領域が細菌プロモーター、ウイルスプロモーター、真菌プロモーターまたは哺乳動物プロモーターを含む、請求項１１に記載の組換えＤＮＡ分子。
【請求項１５】  請求項１１に記載の組換えＤＮＡ分子を含む、宿主細胞。
【請求項１６】  原核生物である、請求項１５に記載の細胞。
【請求項１７】  細菌である、請求項１６に記載の細胞。
【請求項１８】  真核生物である、請求項１５に記載の細胞。
【請求項１９】  酵母細胞または哺乳動物細胞である、請求項１８に記載の細胞。
【請求項２０】  骨質量における減少によって特徴付けられる哺乳動物の状態を処置するための組成物であって、該組成物は、骨質量増加に有効な量の生物学的に活性なペプチドならびに薬学的に受容可能なキャリアを含み、ここで該ペプチドが、以下の式：
（ａ）
【化１０】
2002528060.tif 000010
（ｂ）アミノ酸１〜９、１〜１０、１〜１１、１〜１２、または１〜１３を含む、そのフラグメント；
（ｃ）それらの薬学的に受容可能な塩；あるいは
（ｄ）それらのＮ−誘導体またはＣ−誘導体；
から本質的になる群から選択されるメンバーに少なくとも８５％同一なアミノ酸配列を含み、ここで：
Ｘ01は、ＳｅｒまたはＡｌａであり；
Ｘ02は、ＩｌｅまたはＨｉｓであり；
Ｘ03は、Ｍｅｔ、ＬｅｕまたはＮｌｅであり；
Ｘ04は、ＡｓｎまたはＡｓｐであり；
Ｘ05は、ＬｅｕまたはＬｙｓであり；そして
Ｘ06は、ＨｉｓまたはＳｅｒであり、
但し該ペプチドは、ＰＴＨｒＰ（１−１４）ではない、組成物。
【請求項２１】  骨質量における減少によって特徴付けられる哺乳動物の状態を処置するための組成物であって、該組成物は、骨質量増加に有効な量の生物学的に活性なペプチドならびに薬学的に受容可能なキャリアを含み、該ペプチドは、以下の式：
（ａ）
【化１１】
2002528060.tif 000011
（ｂ）アミノ酸１〜９、１〜１０、１〜１１、１〜１２、または１〜１３を含む、そのフラグメント；
（ｃ）それらの薬学的に受容可能な塩；あるいは
（ｄ）それらのＮ−誘導体またはＣ−誘導体；
から本質的になり、ここで：
Ｘ01は、ＳｅｒまたはＡｌａであり；
Ｘ02は、ＩｌｅまたはＨｉｓであり；
Ｘ03は、Ｍｅｔ、ＬｅｕまたはＮｌｅであり；
Ｘ04は、ＡｓｎまたはＡｓｐであり；
Ｘ05は、ＬｅｕまたはＬｙｓであり；そして
Ｘ06は、ＨｉｓまたはＳｅｒであり、但しＰＴＨｒＰ（１−１４）ではない、
組成物。
【請求項２２】  生物学的に活性なペプチドを必要とする患者の処置のための組成物であって、治療的に有効量のペプチドならびに薬学的に受容可能なキャリアを含み、ここで該ペプチドは、以下：
（ａ）以下の式：
【化１２】
2002528060.tif 000012
から本質的になる、生物学的に活性なペプチド；
（ｂ）アミノ酸１〜９、１〜１０、１〜１１、１〜１２または１〜１３を含む、そのフラグメント；
（ｃ）それらのＮ−誘導体またはＣ−誘導体；あるいは
（ｄ）それらの薬学的に受容可能な塩；
から本質的になる群より選択されるメンバーに少なくとも８５％同一なアミノ酸配列を含む、組成物。
【請求項２３】  骨質量における減少によって特徴付けられる哺乳動物の状態を処置するための組成物であって、該組成物は、以下：
（ａ）以下の式：
【化１３】
2002528060.tif 000013
から本質的になる、生物学的に活性なペプチド；
（ｂ）アミノ酸１〜９、１〜１０、１〜１１、１〜１２または１〜１３を含む、そのフラグメント；
（ｃ）それらのＮ−誘導体またはＣ−誘導体；あるいは
（ｄ）それらの薬学的に受容可能な塩、
から本質的になる、骨質量増加に有効な量の生物学的に活性なペプチド；ならびに薬学的に受容可能なキャリアを含む、組成物。
【請求項２４】  生物学的に活性なペプチドの必要性を有する患者の処置のための組成物であって、治療的有効量のペプチドならびに薬学的に受容可能なキャリアを含み、ここで該ペプチドは、以下：
（ａ）以下の式：
【化１４】
2002528060.tif 000014
から本質的になる、生物学的に活性なペプチド；
（ｂ）アミノ酸１〜９、１〜１０、１〜１１、１〜１２、または１〜１３を含む、そのフラグメント；
（ｃ）それらのＮ−誘導体またはＣ−誘導体；あるいは
（ｄ）それらの薬学的に受容可能な塩、
から本質的になる群より選択されるメンバーに少なくとも８５％同一なアミノ酸配列を含む、組成物。
【請求項２５】  骨質量における減少によって特徴付けられる哺乳動物の状態を処置するための組成物であって、該組成物は、以下：
（ａ）
【化１５】
2002528060.tif 000015
（ｂ）アミノ酸１〜９、１〜１０、１〜１１、１〜１２、または１〜１３を含む、それらのフラグメント；
（ｃ）それらのＮ−誘導体またはＣ−誘導体；あるいは
（ｄ）それらの薬学的に受容可能な塩；
から本質的になる、骨質量増加に有効な量の生物学的に活性なペプチド；ならびに薬学的に受容可能なキャリアを含む、組成物。
【請求項２６】  骨の再形成、骨吸収および／または骨リモデリングの速度を決定するための組成物であって、請求項４に記載のペプチドの有効量を含み、ここで、患者の骨への該ペプチドの取り込みが、骨の再形成、骨吸収および／または骨リモデリングの速度を決定するために使用され得る、組成物。
【請求項２７】  前記骨質量増加に有効な量の前記ペプチドが、該ペプチドのインビボでの発現のための該ペプチドをコードするＤＮＡを提供することによって投与されるのに適切である、請求項２０に記載の組成物。
【請求項２８】  処置されるべき前記状態が骨粗しょう症である、請求項２０に記載の組成物。
【請求項２９】  前記骨粗しょう症が老齢骨粗しょう症である、請求項２８に記載の組成物。
【請求項３０】  前記骨粗しょう症が閉経後骨粗しょう症である、請求項２８に記載の組成物。
【請求項３１】  骨質量を増加させるための、有効量の前記ペプチドが、一日あたり約０．０１μｇ／ｋｇ〜一日あたり約１．０μｇ／ｋｇである、請求項２０に記載の組成物。
【請求項３２】  非経口投与にとって適切である、請求項２０に記載の組成物。
【請求項３３】  皮下投与にとって適切である、請求項２０に記載の組成物。
【請求項３４】  鼻通気法による投与にとって適切である、請求項２０に記載の組成物。